(57)【特許請求の範囲】
【請求項１】
受信した放送信号を基に映像および音声を出力するテレビジョン放送受信装置に接続されて使用される外付け録画装置であって、
上記外付け録画装置は、筐体と、上記筐体内に収納された映像を圧縮するための圧縮制御部および録画するための録画部を備えており、
上記テレビジョン放送受信装置は、上記テレビジョン放送受信装置自身を制御するためのＴＶ受像機用プログラムと上記外付け録画装置を制御するための外付け録画装置用制御プログラムとを保持し、さらに上記テレビジョン放送受信装置は、上記ＴＶ受像機用プログラムと上記外付け録画装置用制御プログラムを実行するための制御部を有しており、
上記テレビジョン放送受信装置の制御部が上記外付け録画装置用制御プログラムを実行することにより、上記外付け録画装置の上記圧縮制御部は、上記テレビジョン放送受信装置から暗号化されて送られてきた放送信号を解読して上記放送信号に含まれている映像信号を分離して圧縮し、圧縮した映像信号を基に再び暗号化して、上記テレビジョン放送受信装置へ送信する、ことを特徴とする外付け録画装置。
【請求項２】
請求項１に記載の外付け録画装置であって、
上記外付け録画装置は、上記録画部の録画形式に沿った形式に入力信号を変換する変換回路を上記筐体内に有しており、
上記テレビジョン放送受信装置の上記制御部が上記外付け録画装置用制御プログラムを実行することにより、
上記外付け録画装置は、上記テレビジョン放送受信装置から送られてきた録画すべき暗号化された映像信号を受信して上記変換回路に入力し、上記変換回路は、上記入力された映像信号を上記録画部の録画形式に沿った形式に変換し、上記変換した映像信号を上記録画部に録画する、ことを特徴とする外付け録画装置。
【請求項３】
請求項１あるいは請求項２に記載の外付け録画装置であって、
上記テレビジョン放送受信装置の制御部が上記外付け録画装置用制御プログラムを実行することに基づいて、
外付け録画装置は、筐体に収納する圧縮制御部によって、上記テレビジョン放送受信装置から送られてきた暗号化された第１のトランスポートストリームの暗号を解読して第２のトランスポートストリームを発生し、上記第２のトランスポートストリームから映像信号を分離して該映像信号を圧縮し、上記圧縮された映像信号を音声信号とともに多重化して第３のトランスポートストリームを発生し、上記第３のトランスポートストリームを暗号化して上記テレビジョン放送受信装置に送る、ことを特徴とする外付け録画装置。
【請求項４】
請求項３に記載の外付け録画装置であって、
上記外付け録画装置は、入力されたトランスポートストリームを上記録画部の録画形式に沿った形式に変換する変換回路を上記筐体内に有しており、
上記テレビジョン放送受信装置の制御部が上記外付け録画装置用制御プログラムを実行することに基づいて、上記外付け録画装置は、上記テレビジョン放送受信装置が上記第３のトランスポートストリームに基づいて発生した、暗号化された第４のトランスポートストリームを、上記テレビジョン放送受信装置から受信し、上記変換回路は、上記第４のトランスポートストリームを入力信号として受けてこれを変換し、上記録画部は上記変換された信号を上記変換回路から受けてこれを録画する、ことを特徴とする外付け録画装置。
【請求項５】
請求項１乃至請求項４の内の一に記載の外付け録画装置であって、
上記圧縮制御部は、暗号解読および圧縮、暗号化を行うための回路と上記回路が動作可能となるための動作データを受け取る制御回路を有し、
上記外付け録画装置が上記テレビジョン放送受信装置に接続されることにより、上記圧縮制御部の制御回路は上記テレビジョン放送受信装置から上記動作データを受け取り、
上記外付け録画装置の上記圧縮制御部は、上記制御回路が上記動作データを受け取ることにより、動作可能となり、
上記テレビジョン放送受信装置の制御部が上記外付け録画装置用制御プログラムを実行することに基づいて、上記圧縮制御部は暗号解読および圧縮、暗号化を行う、ことを特徴とする外付け録画装置。
【請求項６】
請求項５に記載の外付け録画装置であって、
上記圧縮制御部の暗号解読および圧縮、暗号化を行うための回路と上記回路を動作可能とする上記動作データを保持するための制御回路とが同じＩＣの中に設けられている、ことを特徴とする外付け録画装置。
【請求項７】
請求項６に記載の外付け録画装置であって、
上記テレビジョン放送受信装置は、上記外付け録画装置が有する録画部の録画可能残量に基づいて定められた圧縮制御部の圧縮比を、外付け録画装置に送信し、
上記外付け録画装置は送られてきた圧縮比に基づいて圧縮動作を行うことを特徴とする外付け録画装置。
【請求項８】
請求項６に記載の外付け録画装置であって、
上記外付け録画装置の上記制御回路は圧縮比を決定する圧縮比演算機能を有し、
上記制御回路は、上記外付け録画装置が内蔵する録画部の録画可能残量に基づいて、上記外付け録画装置が内蔵する圧縮制御部の圧縮比を決定し、
上記テレビジョン放送受信装置の制御部が上記外付け録画装置用制御プログラムを実行することに基づいて、上記圧縮制御部は上記決定された圧縮比で圧縮動作を行う、ことを特徴とする外付け録画装置。
【請求項９】
請求項５乃至請求項８の内の一に記載の外付け録画装置であって、
上記テレビジョン放送受信装置は、外付け録画装置を動作させるための外付け録画装置用プログラムや動作データを保持しており、
上記テレビジョン放送受信装置が、外部から上記外付け録画装置用プログラムあるいは上記動作データの書き換えを示唆する指示を受けると、上記テレビジョン放送受信装置が内蔵している上記制御部が書き換え可能状態であるかどうかを判断し、書き換え可能状態において上記外付け録画装置用プログラムあるいは上記動作データが書き換えられ、
上記制御部が書き換えられた外付け録画装置用プログラムを実行することにより、あるいは上記外付け録画装置の上記制御回路に書き換えられた動作データが書き込まれて上記制御回路が動作可能となり、圧縮制御部が圧縮動作を行うことを特徴とする外付け録画装置。
【発明の詳細な説明】
【技術分野】
【０００１】
本発明は録画装置に係り、特に放送受信機能を有する装置等に接続されて使用される外付け録画装置に関する。
【背景技術】
【０００２】
放送を受信する機能を有する装置、例えばテレビジョン放送受信装置において、放送されたコンテンツを録画したいとのニーズに対応するために録画機能を備えているものが多く販売されている。近年、放送されたコンテンツをさらに多く録画したいとのるニーズに対して、外付けの録画装置を接続可能にしたテレビジョン放送受信装置が販売されている。このようなテレビジョン放送受信装置では、放送内容を内部録画装置で録画するだけでなく、必要に応じ外付けの録画媒体を接続し、この外付けの録画媒体に放送内容を録画することができる。このような技術は例えば特開２０１１−１３４４１１号公開公報（特許文献1）に記載されている。
【先行技術文献】
【特許文献】
【０００３】
【特許文献１】特開２０１１−１３４４１１号公報
【発明の概要】
【発明が解決しようとする課題】
【０００４】
放送された内容を更に大量に録画したいとのニーズが今後益々高まると思われる。しかしテレビジョン放送受信装置を購入するユーザが全てそのような要望を持つわけではなく、現状の録画容量で十分と考える顧客も依然として多いと思われる。現テレビジョン放送受信装置に搭載された録画装置の容量を一律に増大させようとすると、増大を望まないユーザには価格面で不満が生じる。また上述の外付け録画媒体に録画するにしても、現状の録画装置では上記ニーズ対し応えられる、より多くの量のコンテンツを録画するには色々問題がある。
【０００５】
本発明の目的は、より多くのコンテンツを録画可能な外付け録画装置を提供すること、あるいは外付け録画装置に、より多くのコンテンツを録画できる録画方法を提供することである。
【課題を解決するための手段】
【０００６】
上記課題を解決する第１の発明は、テレビジョン放送受信装置に接続する外付け録画装置であって、上記テレビジョン放送受信装置には、上記テレビジョン放送受信装置自身を制御するためのＴＶ受像機用プログラムと上記外付け録画装置を制御するための外付け録画装置用制御プログラムの両方が格納されており、上記外付け録画装置は上記テレビジョン放送受信装置からの映像を圧縮する圧縮制御部と圧縮された映像を録画するための録画部を備えており、上記外付け録画装置の上記圧縮制御部は、上記テレビジョン放送受信装置に格納された外付け録画装置用制御プログラムの実行に基づいて上記映像を圧縮して、上記テレビジョン放送受信装置へ上記圧縮された映像信号が送信されることを特徴とする。
【０００７】
第２の発明の外付け録画装置は、上記第１の発明の外付け録画装置であって、さらに上記外付け録画装置は変換回路を有しており、上記テレビジョン放送受信装置が格納された外付け録画装置用制御プログラムを実行することに基づいて、暗号化された録画すべき映像信号を上記テレビジョン放送受信装置から受信して上記変換回路で上記録画部の録画形式に沿うように変換し、変換された映像信号を上記録画部に録画することを特徴とする。
【０００８】
第３の発明の外付け録画装置は、上記第１あるいは第２の発明の外付け録画装置であって、上記テレビジョン放送受信装置の制御部が上記外付け録画装置用制御プログラムを実行することに基づいて、上記外付け録画装置は上記圧縮制御部により、上記テレビジョン放送受信装置から送られてきた暗号化された第１のトランスポートストリーム（ＴＳ）の暗号を解読して第２のトランスポートストリーム（ＴＳ）を発生し、上記第２のトランスポートストリーム（ＴＳ）から映像信号を分離して該映像信号を圧縮し、上記圧縮された映像信号を多重化して第３のトランスポートストリーム（ＴＳ）を発生し、上記第３のトランスポートストリーム（ＴＳ）を暗号化して上記テレビジョン放送受信装置に送ることを特徴とする。
【０００９】
第４の発明の外付け録画装置は、上記第３の発明の外付け録画装置であって、上記外付け録画装置は、入力されたトランスポートストリームを上記録画部の録画形式に沿った形式に変換する変換回路を有しており、上記テレビジョン放送受信装置の制御部が上記外付け録画装置用制御プログラムを実行することに基づいて、上記外付け録画装置は、上記テレビジョン放送受信装置が上記第３のトランスポートストリーム（ＴＳ）に基づいて発生した、暗号化された第４のトランスポートストリーム（ＴＳ）を、上記テレビジョン放送受信装置から受信し、上記変換回路は、上記第４のトランスポートストリーム（ＴＳ）を入力信号として受けてこれを変換し、上記録画部は上記変換された信号を上記変
換回路から受けてこれを録画する、ことを特徴とする。
【００１０】
第５の発明の外付け録画装置は、上記第１乃至上記第４の発明の内の一に記載の外付け録画装置であって、上記圧縮制御部は、暗号解読および圧縮、暗号化を行うための回路と上記回路が動作可能となるための動作データを受け取る制御回路を有し、上記外付け録画装置が上記テレビジョン放送受信装置に接続されることにより、上記圧縮制御部の制御回路は上記テレビジョン放送受信装置から上記動作データを受け取り、上記外付け録画装置の上記圧縮制御部は、上記制御回路が上記動作データを受け取ることにより、動作可能となり、上記テレビジョン放送受信装置の制御部が上記外付け録画装置用制御プログラムを実行することに基づいて、上記圧縮制御部は暗号解読および圧縮、暗号化を行うことを特徴とする。
【００１１】
第６の発明の外付け録画装置は、上記第５の発明に記載の外付け録画装置であって、上記圧縮制御部の暗号解読および圧縮、暗号化を行うための回路と上記回路を動作可能とする上記動作データを保持するための制御回路とが同じＩＣの中に設けられていることを特徴とする。
【００１２】
第７の発明の外付け録画装置は、上記第６の発明に記載の外付け録画装置であって、上記テレビジョン放送受信装置は、上記外付け録画装置が有する録画部の録画可能残量に基づいて定められた圧縮制御部の圧縮比を、外付け録画装置に送信し、上記外付け録画装置は送られてきた圧縮比に基づいて圧縮動作を行うことを特徴とする。
【００１３】
第８の発明の外付け録画装置は、上記第６の発明に記載の外付け録画装置であって、上記外付け録画装置の上記制御回路は圧縮比を決定する圧縮比演算機能を有し、上記制御回路は、上記外付け録画装置が内蔵する録画部の録画可能残量に基づいて、上記外付け録画装置が内蔵する圧縮制御部の圧縮比を決定し、上記テレビジョン放送受信装置の制御部が上記外付け録画装置用制御プログラムを実行することに基づいて、上記圧縮制御部は上記決定された圧縮比で圧縮動作を行うことを特徴とする。
【００１４】
第９の発明の外付け録画装置は、上記第５乃至上記第８の発明に記載の外付け録画装置であって、上記テレビジョン放送受信装置は、外付け録画装置を動作させるための外付け録画装置用プログラムや動作データを保持しており、上記テレビジョン放送受信装置が、外部から上記外付け録画装置用プログラムあるいは上記動作データの書き換えを示唆する指示を受けると、上記テレビジョン放送受信装置が内蔵している上記制御部が書き換え可能状態であるかどうかを判断し、書き換え可能状態において上記外付け録画装置用プログラムあるいは上記動作データが書き換えられ、上記制御部が書き換えられた外付け録画装置用プログラムを実行することにより、あるいは上記外付け録画装置の上記制御回路に書き換えられた動作データが書き込まれて上記制御回路が動作可能となり、圧縮制御部が圧縮動作を行うことを特徴とする。
【発明の効果】
【００１５】
本発明によれば、より多くのコンテンツを録画可能な外付け録画装置を得ることができる、あるいはより多くのコンテンツを録画可能な録画方法を得ることができる。
【図面の簡単な説明】
【００１６】
【図１】本発明が適用されたシステム図である。
【図２】テレビジョン放送受信装置を構成するブロック図である。
【図３】外付け録画装置の構成を示すブロック図であり、圧縮制御部は動作を説明するための機能ブロック図である。
【図４】外付け録画装置の圧縮および録画動作を示す動図である。
【図５】外付け録画装置の回路構成を説明する回路図である。
【図６】録画可能残量に対応した圧縮比を適切に変更するためのフローチャートである。
【図７】録画予約時の録画残量不足に対応して圧縮比を適切に設定するフローチャートである。
【図８】テレビジョン放送受信装置の内部録画を外付け録画装置に移すフローチャートである。
【図９】テレビジョン放送受信装置に記憶されているプログラムの書き換え動作を行う動作フロー図である。
【発明を実施するための形態】
【００１７】
以下に説明する発明を実施するための形態（以下実施例と記す）は、上記「発明が解決しようとする課題」の欄に記載した課題を解決するだけでなく、更により具体的な課題あるいは異なる課題をも解決することが可能である。また上記「発明の効果の欄」に記載した効果だけでなく、より具体的な効果や異なる効果を奏している。実施例が解決する課題の内の幾つかあるいは効果の内の幾つかを次に記載する。また下記実施例は以下の記載の課題を複合した課題の解決や、以下の記載の効果を複合した効果を奏することが可能である。
【００１８】
１．不正録画の防止
（１）  以下に記載する実施例では、外付け録画装置をテレビジョン放送受信装置に接続した場合に、テレビジョン放送受信装置の制御部が、外付け録画装置の認証を行い、不正接続の有無を判断する。認証が行われたことにより暗号解読を可能にする暗号情報がテレビジョン放送受信装置から外付け録画装置へ提供される。テレビジョン放送受信装置は、受信した放送内容、例えは映像信号と音声信号を多重状態で包含するトランスポートストリーム（Ｔｒａｎｓｐｏｒｔ  Ｓｔｒｅａｍ）(以下ＴＳと記す)を、暗号化した状態で外付け録画装置に送信し、受信した外付け録画装置は提供された上記暗号情報に基づきＴＳを解読する。解読されたＴＳが有する、少なくとも映像信号を圧縮するなどの処理を行う。このように外付け録画装置は暗号化された状態で放送内容を受信し、認証されたことにより提供される暗号情報により暗号化された放送内容が解読可能となる。このことにより録画に係る不正を抑制できる。
【００１９】
（２）  以下に記載する実施例では、外付け録画装置は、テレビジョン放送受信装置から受信した暗号化されたＴＳを解読した後、少なくとも映像信号を圧縮し、圧縮した映像信号を多重化してＴＳを作り、このＴＳを暗号化してテレビジョン放送受信装置へ送信する。このように圧縮対象コンテンツを暗号化した状態で受信し、圧縮を完了したコンテンツを暗号化して送信することで、高いセキュリティを維持でき、録画に関する不正を抑制できる。
【００２０】
（３）  以下で説明する外付け録画装置は、圧縮対象コンテンツの暗号の解読から圧縮を完了したコンテンツの暗号化までの処理を１つのＩＣチップ内で行うので、不正を抑制でき、高いセキュリティを維持できる。
【００２１】
（４）  以下で説明する外付け録画装置は、圧縮制御部の暗号解読や圧縮、再暗号化を行うハードウエアを内部に備えており、上記ハードウエアが動作するためのファームウエアはテレビジョン放送受信装置に保持されている。テレビジョン放送受信装置からファームウエアをダウンロードすることで上記暗号解読や圧縮、再暗号化が可能となる。このように外付け録画装置の圧縮制御部の暗号解読や圧縮、再暗号化はファームウエアを受信しなければ動作しない状態に維持されており、不正を抑制でき、高いセキュリティを維持できる。
【００２２】
（５）  以下で説明する外付け録画装置では、上記外付け録画装置との接続が予め定められているテレビジョン放送受信装置にファームウエアを保持しており、予定されている外付け録画装置が接続されたことが確認されると上記テレビジョン放送受信装置は上記外付け録画装置に上記ファームウエアを提供する構成となっている。このような構成により高いセキュリティを維持でき、不正録画を抑制することができる。
【００２３】
（６）  以下で説明する外付け録画装置では、上記外付け録画装置の圧縮制御部を動作させるファームウエアをテレビジョン放送受信装置に保持し、動作のために一時的に外付け録画装置の圧縮制御部にダウンロードするのに加え、外付け録画装置を制御するソフトウエアをテレビジョン放送受信装置に持たせ、テレビジョン放送受信装置の制御部で外付け録画装置を動作させることで、不正を防止し易くなり、セキュリティを維持し易くなる。
【００２４】
（７）  以下で説明する外付け録画装置では、上記外付け録画装置の圧縮制御部を動作させるためのファームウエアをテレビジョン放送受信装置に保持し、動作のために一時的に外付け録画装置内の揮発性メモリにダウンロードする構成となっている。例えば不正録画を行うために外付け録画装置を他の機器の置かれている場所に移動しようとすると、電源の供給を維持できなくなり、保持されていたファームウエアが消滅する。この結果不正録画が困難となる。このようにファームウエアを外付け録画装置内の揮発性メモリに保持する構成により、不正録画を抑制することができる。
【００２５】
（８）  以下で説明する外付け録画装置では、暗号解読のための暗号情報と、暗号解読や映像の圧縮および再暗号化を行うためのファームウエアを、上記ファームウエアにより動作するハードウエアが設けられているＩＣに保持される構成となっている。さらに上記暗号情報と上記ファームウエアを放送コンテンツの供給元であるテレビジョン放送受信装置に保持し、外付け録画装置はテレビジョン放送受信装置からこれらの供給を受けて一時的に保持する構造としている。このような構造により、不正録画を抑制することができる。
【００２６】
（９）  以下で説明する外付け録画装置は、圧縮制御部で圧縮した映像信号を有するＴＳを暗号化してテレビジョン放送受信装置へ送信し、テレビジョン放送受信装置で再度暗号化し、暗号化されたＴＳを再度受信して外付け録画装置の録画部であるＨＤＤに録画する構成としている。上記圧縮した映像信号を有するＴＳを暗号化してＨＤＤに直ちに録画するのではなく、再びテレビジョン放送受信装置に暗号化した状態で戻し、上記テレビジョン放送受信装置で解読して再び暗号化し、この暗号化されたコンテンツを上記ＨＤＤに録画する。このような構成により、不正録画を抑制できる効果がある。
【００２７】
（１０）  以下で説明する外付け録画装置では、上記外付け録画装置とペア登録されているテレビジョン放送受信装置に上記外付け録画装置が接続されることによりペア登録の確認が行われ、上記ペア登録の確認に基づいて暗号解読のための暗号情報の上記テレビジョン放送受信装置からの提供やその後の暗号化された受信した放送コンテンツの提供が行われる。このような構成により、不正録画を抑制できる効果がある。さらに、以下で説明する外付け録画装置では、上記ペア登録の確認と認証確認の両方が行われる。このような構成により、不正録画を更に抑制できる効果がある。
【００２８】
２．外付け録画装置の利便性の向上
（１）  以下で説明する外付け録画装置は、録画部を構成するＨＤＤと圧縮機能を有する圧縮制御部とを一体化して筐体内に収めている。全体構造が小型化され、利便性が向上する。
【００２９】
（２）  以下で説明する外付け録画装置では、上記外付け録画装置の使用内容の選択やそれに伴う使用者の入力操作を接続相手であるテレビジョン放送受信装置に委ねている。このため操作部や表示部を上記外付け録画装置に設ける必要が無く、上記テレビジョン放送受信装置の操作機構を利用できる。このため上記外付け録画装置は全体構造を小型化でき、利便性が向上する。
【００３０】
また上記外付け録画装置を制御するプログラムを上記テレビジョン放送受信装置に格納する方式としているので、上記テレビジョン放送受信装置の操作方法に沿うように上記外付け録画装置の操作方法を定めることが可能である。利用者は通常行っていて慣れている上記テレビジョン放送受信装置の考え方に近い考え方で上記外付け録画装置を操作でき、利用者の利便性が向上する。
【００３１】
（３）  下記で説明する実施例では、外付け録画装置はその内部に圧縮制御部を有しており、設定された圧縮比でテレビジョン放送受信装置からのコンテンツを圧縮し、最終的に録画部であるＨＤＤに設定値に基づいて圧縮したコンテンツを録画することができる。このように上記テレビジョン放送受信装置から圧縮比を設定できる構成となっているので、録画の画質を優先するかあるいは録画対象のコンテンツ容量を削減するために圧縮比向上を優先するかを選択することができ、利便性が向上する。さらに圧縮比の設定を見やすい上記テレビジョン放送受信装置の表示部を利用して、さらに操作方法を理解している上記テレビジョン放送受信装置用のリモコンを利用することができるので、利便性が向上する。
【００３２】
（４）  外付け録画装置の制御の機能を、テレビジョン放送受信装置の制御部に委ねる事により、消費電力を押えることができる。即ち制御を行うためのＣＰＵやこれに付随する回路の動作電力が不要となる。このため上記外付け録画装置が収納する電源回路を小型化することができ、装置全体が小型となり、取扱が容易になる。
【００３３】
３．接続可能テレビジョン放送受信装置の異機種への対応性拡大
（１）  以下の実施例では、外付け録画装置の制御プログラムがテレビジョン放送受信装置の側に記憶されており、外付け録画装置の認証が完了すると、テレビジョン放送受信装置側に記憶されている制御プログラムに基づいて、コンテンツの圧縮動作や圧縮されたコンテンツの外付け録画装置内の録画部への書き込み動作が行われる。外付け録画装置を動作させるプログラムをテレビジョン放送受信装置側に保持する構成とすることで、テレビジョン放送受信装置はそれぞれ自分の機能に合った制御を外付け録画装置に行わせることが可能となる。その結果、外付け録画装置は異なる機種への対応の自由度が大幅に向上し、同一機種の外付け録画装置が異なる多くのテレビジョン放送受信装置に対応可能となる。このような構成により、外付け録画装置の生産性が向上する。またそれに伴って信頼性を向上し易くなる。
【００３４】
（２）  外付け録画装置の圧縮制御部のファームウエアをテレビジョン放送受信装置に保持し、テレビジョン放送受信装置の動作に対応するように作成したファームウエアをテレビジョン放送受信装置から供給する構成とした。これにより、テレビジョン放送受信装置の動作と外付け録画装置の圧縮制御部の動作との対応がより容易となる。テレビジョン放送受信装置の動作に適合するように、上記ファームウエアを作ることが可能であり、異なる機種のテレビジョン放送受信装置への対応性が増大する。
【００３５】
（３）テレビジョン放送受信装置は受信機能を備えているので、生産後、更には、販売後に制御プログラムの一部をテレビジョン放送受信装置に送り込むことで、制御プログラムの一部変更が可能となる。このようなテレビジョン放送受信装置において、外付け録画装置の制御プログラムをテレビジョン放送受信装置の側に保持し、テレビジョン放送受信装置の制御機能を使用して外付け録画装置を制御することにより、テレビジョン放送受信装置のプログラム更新にリンクして、外付け録画装置の制御プログラムを修正することが可能となる。このような構成を採用することにより、外付け録画装置の対応性が向上する、あるいは利便性が向上する。
【００３６】
上記外付け録画装置の制御プログラムと同様に、必要に応じ、外付け録画装置の圧縮制御部のファームウエアを変更することが可能となる。上記と同様、外付け録画装置の対応性が向上する、あるいは利便性が向上する。
【００３７】
（４）外付け録画装置が独自に制御部を有し、独自の制御プログラムを備えて、テレビジョン放送受信装置から供給されるＴＳの圧縮動作や録画動作を行う構成では、上記外付け録画装置側の制御部とテレビジョン放送受信装置側の制御部との間で、コンテンツの送受信の確認を常に行うことが必要となり、制御が複雑となる。また上記外付け録画装置と上記テレビジョン放送受信装置との送受信の確認方法が、上記テレビジョン放送受信装置の製造メーカ毎に、あるいは機種毎に異なることが多々生じる。従って販売する外付け録画装置は、接続相手によってプログラムの細部を変更することが必要な場合が生じる。販売する外付け録画装置は、相手テレビジョン放送受信装置に対応して多種類、用意しなければならない。あるいは使用できる相手方のテレビジョン放送受信装置の機種が、制限される可能性が生じる。以下の実施例はテレビジョン放送受信装置側に制御を委ねる方式としているので、煩雑さを低減でき、同じ内容の外付け録画装置を異なる機種のテレビジョン放送受信装置に使用可能となる。
【００３８】
次に図面を参照しながら実施例を説明する。本実施例は、発明を実施するための形態の欄で上述したそれぞれの課題を解決できる効果を奏するのに加え、さらに以下で説明する課題を解決できる効果を奏する。
【００３９】
「１．外付け録画装置の使用状況の説明」
図１は、テレビジョン放送受信装置１００に外付け録画装置２００を、ＵＳＢ（Ｕｎｉｖｅｒｓａｌ  Ｓｅｒｉａｌ  Ｂｕｓ）ケーブル１８０を使用して接続した状態を示すシステム図である。テレビジョン放送受信装置１００は、例えば放送衛星（Ｂｒｏａｄｃａｓｔｉｎｇ  Ｓａｔｅｌｌｉｔｅ）を利用した放送（以下ＢＳ放送と記す）や通信衛星（Ｃｏｍｍｕｎｉｃａｔｉｏｎ  Ｓａｔｅｌｌｉｔｅ）を利用した放送（以下ＣＳ放送と記す）、あるいは地上デジタル放送などを受信し、受信した映像や表示部１３４や音声出力部から出力する。さらにテレビジョン放送受信装置１００は、Ｈａｒｄ  Ｄｉｓｋ  Ｄｒｉｖｅ（以下ＨＤＤと記す）などの録画部を収納しており、受信した映像や音声を上記録画部であるＨＤＤにより録画媒体に録画することができる。また、上記録画媒体に録画されている映像や音声を再生することができる。
【００４０】
上記テレビジョン放送受信装置１００は、Ｒｅｍｏｔｅ   Ｃｏｎｔｒｏｌｌｅｒ（以下リモコンと記す）１７０を使用して、受信した放送からの選局や上記録画、あるいは再生を含めた色々な操作を行うことができる。なお、テレビジョン放送受信装置１００は外部から供給される電力により動作するが、図示は省略している。
【００４１】
外付け録画装置２００は、テレビジョン放送受信装置１００に接続されることにより、テレビジョン放送受信装置１００が収納する制御部の動作により、映像の圧縮や録画、再生を行うことができる。このような外付け録画装置２００の圧縮動作や録画あるいは再生動作の指示は、リモコン１７０を操作することにより、テレビジョン放送受信装置１００が収納する制御部によって行われる。ＵＳＢケーブル１８０により、外付け録画装置２００がテレビジョン放送受信装置１００に接続される。これにより、以下で説明する認証動作が行われ、その後テレビジョン放送受信装置１００の制御部から制御指令が外付け録画装置２００に送られ、テレビジョン放送受信装置１００が受信した放送コンテンツの圧縮や録画、録画されたコンテンツの再生が行われる。
【００４２】
外付け録画装置２００は、その内部に電源回路を備えており、家庭用電源から動作電力が電源コード２０６を介して供給される。外付け録画装置２００では、上記録画動作などで必要となる電力が内部の電源回路から各内部機器や内部回路に供給される。
【００４３】
但し、外付け録画装置２００に電源回路を収納し、家庭用交流電源からの交流電力から動作に必要な直流電力を発生させることは必須ではない。電力を多く消費する部分は外付け録画装置２００に収納されている録画部２７４（図３）として使用されるハードディスク（ＨＤＤ）である。技術の進歩により、ＨＤＤの消費電力は非常に低減されてきており、ＵＳＢケーブル１８０を介して供給される電力で動作させることは可能である。従ってＵＳＢケーブル１８０を介してテレビジョン放送受信装置１００から供給される電力で、外付け録画装置２００を動作させるように設計することも可能である。特に以下の実施例では、外付け録画装置２００全体を制御するＣＰＵとして、テレビジョン放送受信装置１００に収納されたＣＰＵを使用しており、上記ＣＰＵにより構成される制御回路が消費する電力を、外付け録画装置２００は節約できる。従って外付け録画装置２００を動作させる電力を、ＵＳＢケーブル１８０を介してテレビジョン放送受信装置１００から供給することが、より容易となる。
【００４４】
「２．テレビジョン放送受信装置１００の回路構成および動作の説明」
「２.１  テレビジョン放送受信装置１００の構成」
図２にテレビジョン放送受信装置１００のブロック図を示す。テレビジョン放送受信装置１００には、ＢＳ放送あるいはＣＳ放送を受信するため入力端子１１４および地上デジタルテレビジョン放送を受信するため入力端子１１８が設けられている。また、リモコン１７０からの信号を受信するためのリモコン受信部１７２、ＵＳＢケーブル１８０を介して外付け録画装置２００と接続するためのＵＳＢ端子１６０、電力の供給を受けるための電源端子を備えている。ただし、上記電源端子は図示していない。この実施例では、ＵＳＢケーブル１８０はＵＳＢ規格にもとづくケーブルであり、テレビジョン放送受信装置１００と外付け録画装置２００はＵＳＢケーブル１８０を介して接続されている。
【００４５】
「２.２  制御部１４０の構成と制御プログラム」
テレビジョン放送受信装置１００は、制御部１４０を有しており、制御部１４０はリモコン受信部１７２を介してリモコン１７０からの操作信号を受信し、リモコン１７０の操作に基づきテレビジョン放送受信装置１００を動作させる。制御部１４０は、不揮発性メモリ１４４に、テレビジョン放送受信装置１００自身を制御するためのＴＶ受像機用プログラム１４５と、外付け録画装置２００が接続されたときに使用される外付け録画装置用プログラム１４６と、外付け録画装置２００に収納されている圧縮制御部２４０（図３に図示）を動作させるためのファームウエア１４７と、外付け録画装置２００の認証を行い、更に接続された上記外付け録画装置２００と上記テレビジョン放送受信装置１００とが登録された関係であるかどうか（ペア登録）を確認するための認証およびペア確認プログラム１４８を保持している。
【００４６】
上記ファームウエア１４７を外付け録画装置２００に送り込むことにより、後述する外付け録画装置２００に収納された圧縮制御部２４０（図３に図示）のハードウエアを動作可能とし、上記外付け録画装置用プログラム１４６を実行することにより、制御部１４０は外付け録画装置２００を制御することが可能となる。なおＴＶ受像機用プログラム１４５や外付け録画装置用プログラム１４６、ファームウエア１４７、認証およびペア確認プログラム１４８は外部から書き換え可能であり、例えばアンテナ１１２やアンテナ１１６を介して新しいプログラムや新しいファームウエア、新しい認証およびペア確認プログラム１４８を供給することにより、不揮発性メモリ１４４に保持されているプログラムやファームウエア、認証およびペア確認プログラム１４８の一部または全部を変更することができる。
【００４７】
制御部１４０は、さらに、演算処理部１４２とデータなどを一時的に記憶するＲＡＭ１４３を備えている。制御部１４０はＴＶ受像機用プログラム１４５に基づいてテレビジョン放送受信装置１００自身の動作を制御する。さらに、別売りされている外付け録画装置２００をユーザが購入し、テレビジョン放送受信装置１００に接続すると、認証手続や接続されたテレビジョン放送受信装置１００と外付け録画装置２００とのペア関係の登録手続が行われるが、その後外付け録画装置２００の使用目的に応じ、外付け録画装置用プログラム１４６が実行され、外付け録画装置２００への暗号情報やファームウエアを含む各種データあるいは設定値の供給や、使用目的に基づく上記外付け録画装置２００の制御が行われる。
【００４８】
上記説明は、以下に図３を用いて説明する圧縮制御部２４０がハードウエアと上記ハードウエアを制御するファームウエア１４７で構成されている実施例を念頭に置いて説明した。図３の圧縮制御部２４０は不揮発性メモリ１４４からのデータがセットされて初めて動作可能となる構成とすることで、不正録画などの防止機能が向上する。従って上述のファームウエア１４７の圧縮制御部２４０へのダウンロードは一実施例である。圧縮制御部２４０が動作可能となるセキュリティデータをセットしても不正録画などの防止機能が向上する。以下ファームウエア１４７やセキュリティデータなど、テレビジョン放送受信装置１００から圧縮制御部２４０へ提供することにより、圧縮制御部２４０が動作可能となるデータを総称して、動作データと記すことにする。
【００４９】
ただ、動作データとしてファームウエア１４７を使用することは、圧縮制御部２４０の回路を作る上で、優れた効果がある。特にＩＣ回路として生産する場合にＩＣの小型多機能化の観点で優れている。
【００５０】
外付け録画装置用プログラム１４６やファームウエア１４７は、外付け録画装置２００を購入し、テレビジョン放送受信装置１００に接続した場合に、購入した外付け録画装置２００と共に、購入者にＤＶＤ等で提供して、テレビジョン放送受信装置１００内の不揮発性メモリ１４４に記憶させるようにしても良い。しかしこの場合にはテレビジョン放送受信装置１００を製造するメーカ毎に、あるいはテレビジョン放送受信装置１００の機種毎に、その機種に合うように外付け録画装置用プログラム１４６を準備することが必要となる。またユーザが購入時に、ユーザが所有するテレビジョン放送受信装置１００に合う外付け録画装置用プログラム１４６やファームウエア１４７を有する外付け録画装置２００を提供することが必要となる。この場合販売方法がたいへん複雑となり、またユーザが外付け録画装置２００に関して基礎知識を求められることになる。
【００５１】
外付け録画装置用プログラム１４６をテレビジョン放送受信装置１００自身が販売当初から備えている、あるいはテレビジョン放送受信装置１００が自動的にアンテナ１１２あるいはアンテナ１１６を介して提供を受けるようにすれば、上述の販売の煩雑さをなどの問題を解決することができる。またテレビジョン放送受信装置１００について、あるいは外付け録画装置２００に付いての技術的知識をあまり有していない利用者に対しても利用し易くなる。
【００５２】
さらに必要に応じ既に提供した外付け録画装置用プログラム１４６やファームウエア１４７をより望ましく改良したい場合に、上記改良した外付け録画装置用プログラム１４６、あるいはファームウエア１４７を、既に購入し利用されているテレビジョン放送受信装置１００に対してアンテナ１１２あるいはアンテナ１１６を介して提供するようにすれば、利用者の利便性が更に向上する。
【００５３】
また既にテレビジョン放送受信装置１００の不揮発性メモリ１４４に保持されている外付け録画装置用プログラム１４６やファームウエア１４７を、改良した外付け録画装置用プログラム１４６あるいは改良したファームウエア１４７に書き換える場合に、アンテナ１１２あるいはアンテナ１１６を介してこれらを提供する以外の手段として、テレビジョン放送受信装置１００をインターネットに接続している状態で、インターネットを介して書き込むようにしても良い。さらにテレビジョン放送受信装置１００が有するＵＳＢ端子を介して、外付けのプログラム１４６やファームウエア１４７の提供装置が提供するようにしても良い。具体的な動作手順については、以下で説明する。なおここでは、圧縮制御部２４０の動作が可能となる動作データの内のファームウエア１４７を例として説明した。しかし不正録画の防止の向上の観点では、圧縮制御部２４０がテレビジョン放送受信装置１００から受け取ることにより、動作可能になることが重要である。このため、ファームウエア１４７だけでなく、鍵情報であっても良い。これらを含め圧縮制御部２４０が受け取ることにより動作可能となるデータを総称して、上述したように動作データと記す。
上述したこのような課題は、外付け録画装置２００の外付け録画装置用プログラム１４６やファームウエア１４７を、テレビジョン放送受信装置１００側に保持するようにしたことにより解決できる。
【００５４】
さらに、外付け録画装置２００の制御をテレビジョン放送受信装置１００の制御部１４０に委ねることで、外付け録画装置２００とテレビジョン放送受信装置１００との間のＴＳ等の送受信における互いの約束事を簡素化でき、ＴＶ受像機用プログラム１４５や外付け録画装置用プログラム１４６の製作がより容易となる効果がある。また制御自身も簡素化できる。
【００５５】
「２.３  選局および映像や音声の出力」
選局部１２２には、ＢＳ放送あるいはＣＳ放送を受信するためのアンテナ１１２から放送信号が入力端子１１４を介して供給され、また地上デジタルテレビジョン放送を受信するためのアンテナ１１６から、放送信号が入力端子１１８を介して入力される。リモコン１７０の操作に基づき制御部１４０が選局部１２２を制御し、リモコン１７０により選定したチャンネルの放送信号が選択され、受信信号処理部１２４に送られる。
【００５６】
受信信号処理部１２４は選局された放送信号に基づき復調処理および誤り訂正処理を行い、ＴＳを発生する。より具体的には、一例として受信信号処理部１２４で、例えば放送信号の上記デジタル信号を直交復調と高速フーリエ変換によりＯＦＤＭフレーム構成を有するベースバンド信号に変換し、復調および誤り訂正処理を行い、ＴＳを出力する。
【００５７】
受信信号処理部１２４から出力されたＴＳは、映像信号と音声信号、情報信号が多重化された信号であり、映像信号と音声信号、情報信号を分離することが必要である。なお多重化の方式は国際規格に基づいている。ここで情報信号とは、例えば番組表などの表示情報を内容とする信号である。
【００５８】
ストリーム制御部１２６は、エレメントである映像信号と音声信号、情報信号が多重化されたＴＳからエレメントである信号をそれぞれ分離する。映像信号および情報信号は映像処理部１３２でデコードなどの処理が行われ、液晶表示装置などで構成される表示部１３４で表示される。なお映像および情報の表示は、リモコン１７０の操作により選択可能である。また、音声信号は音声処理部１３６でデコードされ、スピーカなどを備える音声出力部１３８から出力される。
【００５９】
「２.４  ＴＶ収納ハードディスクの録画と再生」
リモコン１７０の操作により、録画部例えばＨＤＤ１５０への録画が指示されると、制御部１４０からの制御信号に基づき、ストリーム制御部１２６は、ＴＳから分離された映像信号と音声信号を再び多重化してＴＳを作り、このＴＳをＨＤＤ１５０へ送り、ＨＤＤ１５０に録画する。なお、映像信号と音声信号で作られるＴＳをＨＤＤ１５０に録画するようにしても良いが、映像信号と音声信号と情報信号を含むように多重化してＴＳを作り、このＴＳをＨＤＤ１５０に録画するようにしても良い。
【００６０】
リモコン１７０を介して再生要求の操作がなされると、制御部１４０の制御指令に基づき、ストリーム制御部１２６はＨＤＤ１５０に録画されているＳＴを読み出し、映像信号と音声信号に分ける。読み出されたＳＴに、映像と音声に加えて情報も多重化されている場合には、映像と音声と情報のエレメントにわける。映像あるいは映像と情報は映像処理部１３２で、デコードなどの処理がなされて表示部１３４で表示される。また音声は音声処理部１３６でデコードなどの処理がなされ、音声出力部１３８から音声が出力される。
【００６１】
「３.  外付け録画装置２００の構成と動作の概要」
「３.１  外付け録画装置２００の構成」
外付け録画装置２００の構成を図３に示す、なお圧縮制御部２４０の構成は機能ブロック図である。外付け録画装置２００は、例えばアルミニュウム板材あるいは樹脂で作られた筐体２０２を有し、筐体２０２には、ＵＳＢケーブル１８０を介してテレビジョン放送受信装置１００と接続するためのＵＳＢ端子２１２、外付け録画装置をさらに増設するためのＵＳＢ端子３０２およびＵＳＢ端子３０４が備えられている。また家庭用電源端子から電源供給を受けるための電源コード２０６が設けられている。外付け録画装置２００をテレビジョン放送受信装置１００のＵＳＢ端子１６０にＵＳＢケーブル１８０を介して接続することにより、制御命令や、設定値を含む各種データや、圧縮や録画再生のためのコンテンツがやり取りされる。
【００６２】
筐体２０２の内部には、接続相手であるテレビジョン放送受信装置１００が外付け録画装置２００を認証するための認証動作を行う認証回路２４２や、テレビジョン放送受信装置１００と外付け録画装置２００とのペア関係を登録あるいは確認するためのペア確認回路２４３が設けられている。また圧縮動作などを行う圧縮制御部２４０、映像や音声を含むＴＳを録画するための録画部２７４が設けられている。上記録画部２７４はここではＨＤＤである。さらに筐体２０２の内部に、テレビジョン放送受信装置１００から送られてきたＴＳを録画部２７４であるＨＤＤの規格に合うように変換する変換回路２７２、テレビジョン放送受信装置１００からの制御指令に基づいて外付け録画装置２００内部の信号の流れを制御するハブコントローラ２２２などを備えている。
【００６３】
このハブコントローラ２２２は大まかには次のような動作をする。テレビジョン放送受信装置１００から送られてきたＴＳを圧縮し録画する場合には、テレビジョン放送受信装置１００から規格に基づいて分割されたＴＳが送られてくる。この分割されたＴＳをハブコントローラ２２２によって圧縮制御部２４０へ送り、圧縮制御部２４０で圧縮された分割されたＴＳはハブコントローラ２２２の動作に基づき再びテレビジョン放送受信装置１００へ送る。さらにテレビジョン放送受信装置１００は圧縮されたＴＳを暗号化して外付け録画装置２００に送り返す。送られてきたＴＳはハブコントローラ２２２によって変換回路２７２へおくられ、変換回路２７２から録画部２７４へ送られ、録画部２７４であるＨＤＤに録画される。
【００６４】
録画部２７４に録画されたＴＳを再生する場合には、録画部２７４から読み出されたコンテンツは変換回路２７２によりＴＳの形式に戻され、ハブコントローラ２２２を介してテレビジョン放送受信装置１００に送られる。
【００６５】
認証回路２４２はテレビジョン放送受信装置１００に対して外付け録画装置２００が認証を受けるための回路であり、例えば製造当初から認証を受けるための番号（ＩＤ番号）を保持している。この認証回路２４２は圧縮制御部２４０を構成するＩＣの中に設けられていても良い。圧縮制御部２４０を構成するＩＣ内に認証回路２４２が設けられている場合には、不正録画を防止する抑制効果がより向上する。
【００６６】
またペア確認回路２４３は、テレビジョン放送受信装置１００と外付け録画装置２００のペアを登録あるいは確認するための回路であり、外付け録画装置２００を最初にテレビジョン放送受信装置１００に接続した場合に、図２に記載の認証およびペア確認プログラム１４８によりペア登録が行われる。ペア登録が行われると、ペア関係以外のテレビジョン放送受信装置１００に対して外付け録画装置２００を接続しても録画や再生が阻止される。もちろん圧縮動作も阻止される。この機能により不正録画を防止できる。ペア確認回路２４３はペア関係にあることを照明するペアＩＤを互いに保持するとか、テレビジョン放送受信装置１００が認証に使用するＩＤを保持し、テレビジョン放送受信装置１００が外付け録画装置２００の有する認証用ＩＤを用いてペア関係に有無を確認するなどの方法で、ペア関係の確認が行われる。このペア確認回路２４３は本実施例では圧縮制御部２４０とは一体になっていないが、圧縮制御部２４０のＩＣ内に設けても良い。
【００６７】
次にＵＳＢ端子３０２やＵＳＢ端子３０４について説明する。外付け録画装置２００と同様の録画装置をＵＳＢ端子３０２やＵＳＢ端子３０４に接続すると、接続されたそれらの外部録画装置は、テレビジョン放送受信装置１００と外付け録画装置２００を介して接続され、外付け録画装置２００を介して、認証動作やペア確認動作を含めた圧縮や録画、再生に必要なＴＳや制御指令を含むデータのやり取りがハブコントローラ２２２の動作により可能となる。このようにＵＳＢ端子３０２やＵＳＢ端子３０４に外付け録画装置２００と同様の装置を接続することで、外付け録画装置２００が有する機能を複数の装置で同時に行うことが可能となる。なお複数の装置が動作している場合に、動作に必要な命令やコンテンツを、ハブコントローラ２２２は時分割的に送受信する。
【００６８】
電源回路２０４は家庭用電源から動作に必要な電力を電源コード２０６を介して受け、直流定電圧電力に変換して、上記圧縮制御部２４０や録画部２７４、変換回路２７２、ハブコントローラ２２２、ペア確認回路２４３等に供給する。またＵＳＢ端子３０２やＵＳＢ端子３０４から電力を供給することが必要な場合には、規格に基づく電力をＵＳＢ端子３０２やＵＳＢ端子３０４から供給する。
【００６９】
なお上述したように、外付け録画装置２００に電源回路を収納して、上記電源回路から上記各部や収納するその他各回路に動作のための電力を供給することは必須ではない。電力を多く消費する録画部２７４として使用されるＨＤＤの消費電力は近年非常に低減されてきている。ＵＳＢケーブル１８０を介して供給される電力で動作させるＨＤＤが開発されている。従ってＵＳＢケーブル１８０を介してテレビジョン放送受信装置１００から供給される電力で、外付け録画装置２００を動作させるように設計することは可能である。また以下の実施例では、外付け録画装置２００全体を制御するＣＰＵとして、テレビジョン放送受信装置１００の内部に設けられたＣＰＵを使用しており、制御上のメリットだけでなく、上記ＣＰＵにより構成される制御回路が消費する電力を、外付け録画装置２００は節約できる効果もある。従って以下の実施例の構成は、外付け録画装置２００を動作させる電力を、ＵＳＢケーブル１８０を介してテレビジョン放送受信装置１００から供給することがより容易となっている。
【００７０】
「３.２  圧縮制御部２４０の構成とファームウエアに基づく動作」
圧縮制御部２４０の暗号解読部２５４は、送られてきたＴＳの暗号を解読する機能を有しており、分離部２５６はＴＳから多重化されている映像や音声を分離する機能を有しており、圧縮部２５８は設定された圧縮比で映像を圧縮する機能を有しており、多重化部２６２は映像や音声を多重化する機能を有しており、暗号化部２６４は入力された信号を暗号化する機能を有している。これらの機能を純粋なハードウエアのみで達成しようとすると、ハードウエアが複雑で且つ大型化するので、この実施例では、暗号解読部２５４や分離部２５６や圧縮部２５８や多重化部２６２や暗号化部２６４の機能を達成するための基本ハードウエアと、上記基本ハードウエアをそれぞれ有機的に接続し動作させるファームウエアと、で構成している。上記ファームウエアはテレビジョン放送受信装置１００の不揮発性メモリ１４４にファームウエア１４７として保持されている。外付け録画装置２００がテレビジョン放送受信装置１００に接続されることにより、制御部１４０から制御回路２４４に上記ファームウエア１４７がダウンロードされる。さらに制御部１４０から制御指令が送られてくる毎に、制御回路２４４は送られてきた制御指令に対応するファームウエア１４７の部分を実行することにより、圧縮制御部２４０のハードウエアが有機的に接続し動作して、上記暗号解読部２５４や分離部２５６、圧縮部２５８、多重化部２６２、暗号化部２６４の動作および機能が達成される。
【００７１】
上記説明は、圧縮制御部２４０がテレビジョン放送受信装置１００から受け取ることにより、動作可能となる動作データの一例として、ファームウエア１４７について説明した。圧縮制御部２４０の製造の容易さなどの観点で、動作データの中でファームウエア１４７は非常に優れている。しかし、圧縮制御部２４０がファームウエア１４７を必要としないで動作する回路であっても良い。不正録画の防止などを考えると、テレビジョン放送受信装置１００から動作データを受け取ることによってはじめて動作可能となることが望ましい。たとえば鍵データを受けることにより、圧縮制御部２４０が動作可能となるようにしても良い。ファームウエア１４７や鍵データなど、外付け録画装置２００以外から提供されて動作可能となることが望ましい。このような外付け録画装置２００以外から提供されて動作可能となる、上述したデータを動作データと記している。
【００７２】
「３.３  外付け録画装置２００の圧縮および録画動作」
外付け録画装置２００の圧縮および録画の動作を図４に示す。図２および図３、図４を用いて、外付け録画装置２００の圧縮および録画の動作を説明する。外付け録画装置２００がテレビジョン放送受信装置１００にＵＳＢケーブル１８０を介して接続されることにより、図２に示す制御部１４０が外付け録画装置用プログラム１４６の実行を開始し、図４に示すステップＳ２００の動作が開始される。
【００７３】
図４に示す各ステップは、テレビジョン放送受信装置１００の制御部１４０が外付け録画装置用プログラム１４６を実行し、この実行に伴って制御部１４０が外付け録画装置２００を.構成する各回路を制御することによって、実行される。即ち制御部１４０が外付け録画装置用プログラム１４６を実行することにより、制御部１４０から制御指令がハブコントローラ２２２や圧縮制御部２４０、認証回路２４２、ペア確認回路２４３、変換回路２７２、録画部２７４に送られる。この制御指令に基づいて指令を明けた各回路や各部が動作することにより、図４の各ステップが実行される。以下に説明する図５、図７、図８の各ステップも同様である。
【００７４】
制御回路２４４はファームウエア１４７のダウンロードを受けて、圧縮制御部２４０を構成する各部のハードウエアを動作させるが、その動作は、制御回路２４４が独自に制御するのではなく、あくまでも制御部１４０からの制御指令を受け、上記各制御指令に基づいて制御回路２４４が圧縮制御部２４０を構成するハードウエアを、ファームウエア１４７の実行により、動作させる。
【００７５】
ストップＳ２００の動作が開始により、先ず制御部１４０は接続された外付け録画装置２００の型式などを確認し、制御部１４０が保持しているファームウエア１４７の型式などと一致するかを確認し、問題なければファームウエア１４７を図３の制御回路２４４が有する揮発性メモリにダウンロードする。この実施例では制御回路２４４が有する揮発性メモリにダウンロードするので、電源回路２０４から制御回路２４４へ供給されている電力が遮断されると、ダウンロードしたファームウエア１４７は消滅する。このことにより、外付け録画装置２００を一旦不使用状態にして登録されているテレビジョン放送受信装置１００とは異なるテレビジョン放送受信装置に接続した場合、正しいファームウエア１４７のダウンロードが困難となることが発生する。このことにより、映像を録画部２７４に録画した状態で自由に色々な機種と外付け録画装置２００とを接続して利用すること、あるいは自由に色々な機種のテレビジョン放送受信装置に接続して録画することが抑制される。このため不正録画を抑制できることとなる。
【００７６】
次にステップＳ２４１が実行され、外付け録画装置２００の認証動作が行われる。ステップＳ２４１の認証動作では、例えばテレビジョン放送受信装置１００の制御部１４０から認証コードの要求が外付け録画装置２００に伝えられ、認証回路２４２はこの要求に基づき認証コードを返す。この認証コードは予め認証回路２４２の不揮発性メモリに保持されており、電源が遮断されても記憶が消滅することが無い。外付け録画装置２００から送信された認証コードを基にテレビジョン放送受信装置１００は外付け録画装置２００の認証を行う。次にステップＳ２４３で、外付け録画装置２００とテレビジョン放送受信装置１００とのペアが登録されているかどうかが確認される。外付け録画装置２００がテレビジョン放送受信装置１００に最初に接続された時に、互いにペア登録する。一旦ペア登録するとテレビジョン放送受信装置１００と外付け録画装置２００とはペアとしての鍵を保持し、外付け録画装置２００は異なるテレビジョン放送受信装置１００とペアを作ることができない。さらにペア同士でないと録画や再生が困難となる。テレビジョン放送受信装置１００は複数の外付け録画装置２００とペアを作ることができるが、外付け録画装置２００は１つのテレビジョン放送受信装置１００とのみペアを作ることが原則となる。
【００７７】
ペア登録は上述のとおり、テレビジョン放送受信装置１００と外付け録画装置２００の両方でペアＩＤを所有しても良いが、外付け録画装置２００の認証用ＩＤを利用して、テレビジョン放送受信装置１００側でペア登録の有無を保持するようにしても良い。
【００７８】
ステップＳ２４１で認証を確認し、ステップＳ２４３でペア確認を行うと続いてステップＳ２４３で、テレビジョン放送受信装置１００から暗号情報が外付け録画装置２００に送られる。この暗号情報は、テレビジョン放送受信装置１００から送られてくる暗号化された分割ＴＳの解読および、外付け録画装置２００からテレビジョン放送受信装置１００へ送信する分割ＴＳの暗号化に使用され、上記暗号情報に基づいて暗号化を行うことで、受け取った暗号化されたＴＳを互いに解読できる。上記暗号情報は揮発性メモリに保持されるので、外付け録画装置２００の電源供給が停止すると消滅する。このように外付け録画装置２００の使用目的が完了し、電源が遮断されると、上記暗号情報が消滅し、再びテレビジョン放送受信装置１００から受け取ることが必要となる。このような構成により、不正録画を抑制できる効果がある。
【００７９】
上記説明では、外付け録画装置２００の認証動作とペア確認動作後に暗号情報をテレビジョン放送受信装置１００から外付け録画装置２００へ供給した。この方法は不正録画を防止する方法としてたいへん優れているが、例えばＳ２４１による外付け録画装置２００の認証動作の後、テレビジョン放送受信装置１００から外付け録画装置２００へ暗号情報を提供しても、かなりの不正録画効果を得ることができる。
【００８０】
本実施例では上述したように、外付け録画装置２００をテレビジョン放送受信装置１００に接続すると、次のステップＳ２４２で、テレビジョン放送受信装置１００の制御部１４０からの制御指令に基づいて圧縮制御部２４０が動作するために使用されるファームウエアが、テレビジョン放送受信装置１００から外付け録画装置２００の制御回路２４４へダウンロードされる。圧縮制御部２４０が制御部１４０からの指令により動作するためには、圧縮制御部２４０のハードウエアが制御指令に基づいて動作するように上記ハードウエアを機能的に接続することが必要であり、このような役割をファームウエアが行う。
【００８１】
ファームウエアを、例えば圧縮制御部２４０に常に保持する構成では、制御指令に基づいて動作する圧縮制御部２４０の機能や動作可能な制御指令の形態が全て固定されてしまう。テレビジョン放送受信装置１００の機種などの違いにより色々異なる動作が望まれても、これに対応することが困難となる場合がある。制御部１４０からの指令に対応して圧縮制御部２４０の機能を変更できる余裕を持たせることにより、テレビジョン放送受信装置１００の異機種への対応がより柔軟性を持つ効果が生まれる。本実施例では、ファームウエアがテレビジョン放送受信装置１００から供給される方式とすることで、外付け録画装置２００の動作や機能が、テレビジョン放送受信装置１００自身の機能に合うように変更できる自由度が生まれる可能性がある。これによりテレビジョン放送受信装置１００の製造メーカの違いや機種の違いによる細かな違いへの対応がより容易となり易い。
【００８２】
更にこの実施例では、ファームウエアが制御回路２４４の揮発性メモリに保持される。一旦電源の供給が停止すると、ファームウエアが消滅する。再びファームウエアをダウンロードするには、認証動作が必要となる。さらにペア確認が条件に加わるようにできる。このような構成とすることで、不正録画を行い難くすることができる。
【００８３】
次にステップＳ２４４で外付け録画装置２００の動作、即ち利用者が外付け録画装置２００をどのように使用したいのかが、テレビジョン放送受信装置１００の操作により入力される。代表的な使用目的には、放送内容（コンテンツ）の圧縮録画あるいは録画したコンテンツの再生があり、さらにその他幾つかの使用目的がある。外付け録画装置２００の使用目的の選択は、利用者がリモコン１７０を使用してテレビジョン放送受信装置１００に対して操作することにより行われる。利用者がテレビジョン放送受信装置１００を操作することで、外付け録画装置２００の使用目的を選択できるので、常時利用していて操作が慣れているやり方に沿うことができ、利便性が向上する。またテレビジョン放送受信装置１００の大きな表示部１３４を利用できるので、操作しやすい効果がある。
【００８４】
使用目的がコンテンツの圧縮録画の場合には、ステップＳ２４６へ進み、録画したコンテンツの再生の場合にはステップＳ２８２へ進み、その他の場合はＳ３００へ進む。本実施例では上述のとおり、外付け録画装置２００の制御を全てテレビジョン放送受信装置１００に委ねており、利用者からの操作の指令も、これに伴いテレビジョン放送受信装置１００側で行われる。このため外付け録画装置２００には利用者からの操作に関係する装置や回路を持たす必要がなくなり、外付け録画装置２００がたいへんコンパクトとなる。また利用者もテレビジョン放送受信装置１００の表示部１３４やリモコン１７０を利用して外付け録画装置２００の操作を行うことで、操作性が向上する。特に圧縮制御部２４０を備えることで、操作内容が多くなり、画面を利用した操作が望ましい。このような要求に対応できる効果がある。
【００８５】
まず放送されたコンテンツの圧縮録画について説明する。ステップＳ２４６で、テレビジョン放送受信装置１００から圧縮比に関する制御指令が制御回路２４４に入力される。テレビジョン放送受信装置１００から書き込まれたファームウエアで動作する圧縮制御部２４０は、ステップＳ２４６で設定された圧縮比で圧縮動作を行う。
【００８６】
圧縮動作の詳細をステップＳ２５０に示す。ステップＳ２５２で、先ず所定の規格に基づき分割され暗号化されたＴＳがテレビジョン放送受信装置１００から送信され、ＵＳＢ端子２１２を介して受信され、ハブコントローラ２２２により圧縮制御部２４０に伝送される。次にステップＳ２５４で、受信されたＴＳの暗号を保持していた暗号情報に基づき暗号解読部２５４で解読する。解読されたＴＳは、映像信号と音声信号、あるいは更に情報とが多重化された状態になっている。
【００８７】
ステップＳ２５６で、解読されたＴＳは分離部２５６により映像信号と音声信号等とに分離される。分離された映像信号は次のトランスコード部（ＴＣ）２５８により上述したステップＳ２４６で設定された圧縮比で圧縮される（ステップＳ２５８）。映像信号と音声信号の内、容量の大きい映像信号をトランスコード部（ＴＣ）２５８で圧縮するが、音声信号についても圧縮しても良い。
【００８８】
ステップＳ２６２で、圧縮された映像信号と音声信号とを多重化部２６２で多重化して再びＴＳを作る。ステップＳ２６４で、上記多重化されたＴＳを暗号化部２６４で保持していた暗号情報に基づき暗号化して、次のステップＳ２６６で、暗号化されたＴＳをハブコントローラ２２２およびＵＳＢ端子２１２を介して、テレビジョン放送受信装置１００へ送信する。次のステップＳ２６８で、テレビジョン放送受信装置１００は暗号化されたＴＳを受けて、再度暗号化して、外付け録画装置２００の録画部２７４に録画のために送り返す。次のステップＳ２７２で、テレビジョン放送受信装置１００から送られてきた再暗号化されたＴＳを、録画部２７４であるＨＤＤに録画するためにＴＳの形式を変換回路２７２で変換し、次のステップＳ２７４で、録画部２７４であるＨＤＤに録画する。ＨＤＤは、例えばＳＡＴＡ規格のデータを録画および再生できるので、変換回路２７２は暗号化されたＴＳをＳＡＴＡ規格に沿った形式に変換する。このようにして規格に従い分割されたＴＳを先ず指定された圧縮比で圧縮し、次にテレビジョン放送受信装置１００で再度暗号化して外付け録画装置２００の録画部２７４で録画する。ここで録画は、映像および音声を録画することを意味する。ステップＳ２５０に示す如く、次々送られてくる分割されたＴＳを上述の如く次々に圧縮し、テレビジョン放送受信装置１００へ暗号化した状態で送り返し、上述の如くテレビジョン放送受信装置１００で再び暗号化して録画部２７４で録画する。このようにして放送されたコンテンツを録画することができる。
【００８９】
上記説明では、録画部２７４であるＨＤＤがＳＡＴＡ規格に沿って録画する例を示したが、録画部２７４での映像の録画は他の方式でも行われている。重要なことは、録画部２７４の録画方式に合うように変換回路２７２で録画すべき信号を変換することである。また、録画部２７４に録画されている映像を再生してテレビジョン放送受信装置１００へ送る場合には、録画部２７４の録画方式からテレビジョン放送受信装置１００へ送るためのＴＳに、変換回路２７２によって変換する。
【００９０】
すなわちテレビジョン放送受信装置１００から送られてきた暗号化された録画すべきＴＳは、変換回路２７２によって上記ＴＳを録画部２７４の録画方式に沿った方式に変換して録画部２７４へ送信する。一方録画部２７４から送られてきた再生された映像信号は、テレビジョン放送受信装置１００へ送信する方式に変換して、変換された信号例えば暗号化されたＴＳをテレビジョン放送受信装置１００へ送信する。
【００９１】
「３.４  圧縮録画動作における不正録画の防止」
上述の一連の動作で、テレビジョン放送受信装置１００が受信した放送コンテンツが、圧縮制御部２４０により設定した圧縮比で圧縮され、録画部２７４に録画される。テレビジョン放送受信装置１００と外付け録画装置２００との間で、規格に基づき分割されたＴＳのそれぞれの送受信が複数回行われるが、テレビジョン放送受信装置１００と外付け録画装置２００との間では、各ＴＳの送受信は全て暗号化された状態で行われており、高いセキュリティが確保されている。このため不正録画を抑制することができる。
【００９２】
さらに筐体２０２が外付け録画装置２００から外され、内部回路に直接触れることができる状態で動作させたとしても、圧縮制御部２４０の内部で暗号の解読や再暗号化が行われており、圧縮制御部２４０の端子には暗号化されたＴＳしか現れない。このことにより、不正録画を防止することができる。
【００９３】
また圧縮制御部２４０はＩＣで構成されている。特に本実施例では、認証回路２４２も制御回路２４４も同一のＩＣチップに内蔵する構成となっており、第３者は、暗号が解読された状態のＴＳを取り出せないし、暗号を解読することも困難である。このように構成することで高いセキュリティを維持することが可能であり、不正録画を抑制できる。
【００９４】
「３.５  その他の効果」
図３の回路は外付け録画装置２００の動作を制御するＣＰＵを有していない。図２に示す制御部１４０に保持されている外付け録画装置用プログラム１４６をＣＰＵとして動作する演算処理部１４２が実行することにより、上述の図４の動作が実行される。ステップＳ２４１やＳ２４３の動作も、制御部１４０に保持された認証およびペア確認プログラム１４８を演算処理部１４２が実行することにより推進される。外付け録画装置２００は制御部１４０の指示に従い、記憶していたＩＤなどの情報を、ハブコントローラ２２２を介して認証回路２４２あるいはペア確認回路２４３から送信するだけである。このように構成することで、外付け録画装置２００とテレビジョン放送受信装置１００との間の連系動作がシンプルで、スムーズとなる効果がある。テレビジョン放送受信装置１００と外付け録画装置２００とが独立して制御回路を備えると、互いの動作を連携したり、情報のやり取りを確認しあったりすることが必要となり、連系動作が複雑になる。
【００９５】
またテレビジョン放送受信装置１００の制御能力はたいへん大きく、外付け録画装置２００を制御する能力を十分に備えている。ペアにおける効率化につながる効果がある。
【００９６】
外付け録画装置２００における不揮発性メモリへの記憶内容をできるだけ少なくし、ペア相手であるテレビジョン放送受信装置１００に制御を委ねているので、外付け録画装置２００が異機種に対応できる対応性を向上することができる。また外付け録画装置２００自身が極めてシンプルな構成となり、小型軽量となり、たいへん使用し易くなる。
【００９７】
「４.  圧縮録画コンテンツの再生」
図３および図４を用いて録画されたコンテンツの再生動作について説明する。上述した如く録画部２７４であるＨＤＤには圧縮され、さらにＳＡＴＡ規格に変換されたコンテンツが録画されている。録画されているコンテンツは複数個、場合によっては非常に多く、複数個のコンテンツが録画部２７４に存在する。従ってテレビジョン放送受信装置１００から再生指令が出されると先ずコンテンツのリストが録画部２７４から変換回路２７２を介して暗号化されてＴＳに逆変換され（ステップＳ２８４）、ハブコントローラ２２２およびＵＳＢ端子２１２、ケーブル１８０を介してテレビジョン放送受信装置１００に送られる（ステップＳ２８６）。
【００９８】
詳細説明を省略するが、テレビジョン放送受信装置１００において、リモコン１７０により、再生対象のコンテンツが選択され（ステップＳ２８８）、選択対象の再生指令が外付け録画装置２００に送られてくる。その指令に基づき、選択されたコンテンツに関して、規格により分割された録画情報が録画部２７４の先頭録画位置から順に再生される。録画部２７４には、ＴＳが規格化された単位で分割されて録画されているので、分割された単位で録画部２７４から読み出され（ステップＳ２９２）、変換回路２７２で暗号化されたＴＳに変換され（ステップＳ２９４）、テレビジョン放送受信装置１００へ送信される（ステップＳ２９６）。テレビジョン放送受信装置１００では送られてくる暗号化されたＴＳを解読し、図２のストリーム制御部１２６で映像信号と音声信号に分離し、表示部１３４および音声出力部１３８から出力することができる。図４のステップS２９２乃至ステップS２９６を繰り返すことで、選択されたコンテンスを連続的に再生することが可能となる。
【００９９】
外付け録画装置２００の変換回路２７２からハブコントローラ２２２を介してテレビジョン放送受信装置１００に送られるＴＳは暗号化されており、不正利用を防止できる効果がある。
【０１００】
「５.  外付け録画装置２００の回路構成」
図５は、図３に示す外付け録画装置２００の電気回路を構成するブロック図である。ハブコントローラ２２２は情報の流れを制御する回路であり、ＩＣで構成される。このＩＣとしては、例えばＶＩＡ社から発売されているＬＶ８１０を使用することができる。また圧縮制御部２４０は1個のＩＣチップで構成されており、ＩＣとして例えば富士通マイクロエレクトロニクス株式会社から販売されているＭＢ８６Ｈ５８を使用することができる。また変換回路２７２はＩＣで構成されており、このＩＣとしては、例えばＪＭｉｃｒｏｎ Ｔｅｃｈｎｏｌｏｇｙ Ｃｏｒｐｏｒａｔｉｏｎ社が販売しているＪＭＳ５３９Ｂを使用することができる。またペア確認回路２４３はペア情報を保持する回路である。ペア確認回路２４３を他のＩＣ、例えば圧縮制御部２４０等の内部に設けても良い。ＩＣ内部にペア確認回路２４３を設ける方が、セキュリティ的には優れている。
【０１０１】
ハブコントローラ２２２や変換回路２７２、圧縮制御部２４０、ペア確認回路２４３を構成する各ＩＣには電源回路２０４から動作に必要な電力として、直流電力が供給される。さらに電源回路２０４から録画部２７４を構成するＨＤＤに対して駆動用電力が供給され、またＵＳＢ端子３０２やＵＳＢ端子３０４にも電力が供給される。ＵＳＢ端子３０２やＵＳＢ端子３０４に供給される電力は、ＵＳＢ端子３０２やＵＳＢ端子３０４に接続される装置に供給される電力として使用される。
【０１０２】
上述のごとく、主要回路がＩＣで構成されているので、外付け録画装置２００全体が小型軽量となり、利便性が向上する。またテレビジョン放送受信装置１００から暗号化されて送られてきたＴＳの暗号解読や解読された映像の圧縮が１つのＩＣチップ内で行われ、圧縮制御部２４０からは暗号化されたＴＳが出力される構成であり、不正録画を防止することができる。さらに上述したように圧縮制御部２４０を動作させるファームウエアや制御プログラムが外付け録画装置２００ではなく、テレビジョン放送受信装置１００内に保持されるので、外付け録画装置２００を他の機器に接続しても動作させることができない。外付け録画装置２００が互いに認証し合うことができるテレビジョン放送受信装置１００に接続されたときのみ外付け録画装置２００を動作させることができる。このため不正録画を防止できる効果がある。
【０１０３】
図５に示す実施例は、一例として電源回路２０４から各回路に動作に必要な電力を供給いる。しかし何度も上述しているように、外付け録画装置２００全体の動作電力をＵＳＢケーブル１８０を介してテレビジョン放送受信装置１００から供給されるようにしても良い。録画部２７４を構成するＨＤＤの消費電力は近年非常に少なくなっている。その他の回路の多くは集積回路で構成することが可能で、消費電力を押えることが可能である。このため外付け録画装置２００の使用電力を、ＵＳＢケーブル１８０を介してテレビジョン放送受信装置１００から供給することが可能である。また外付け録画装置２００全体の制御をテレビジョン放送受信装置１００に委ねることで、制御上の効果に加え、外付け録画装置２００の消費電力を低減できる効果がある。
【０１０４】
「６.  連続録画中の録画容量不足に対応する圧縮比の変更」
「６.１  テレビジョン放送受信装置１００の制御部１４０による処理」
録画を連続して行っている状態で、録画容量が不足すると途中で録画が終了してしまい、録画の目的を達成できなくなる。上記外付け録画装置２００は圧縮比を変更できる機能を有しており、圧縮比を適切に変更することで上述のような録画容量の不足による録画停止に対応することができる。
【０１０５】
次に圧縮比を適切に変更して、録画中の録画容量不足による録画終了を防止する方法について、図６を用いて説明する。図６に示すフローチャートは、録画中に録画可能容量の状態に対応して上述した圧縮制御部２４０の圧縮比を適切に変更する方法を示す。このように圧縮制御部２４０の圧縮比を適切に変更することで録画に使用する録画容量を減少させ、容量不足による録画停止を避けることができる。録画における圧縮率を大きくすると録画に必要な録画容量を減少させることができるが、画質が低下する問題がある。従って単に圧縮率を限界まで上昇させ、録画に必要な録画容量を少なくすれば良いわけではない。
【０１０６】
図６に示すプログラム５００は、図２に示す外付け録画装置用プログラム１４６のプログラムの中に含まれており、図４などで説明したテレビジョン放送受信装置１００から送られてくるＴＳの録画中に、一定時間間隔で実行される。録画部２７４の録画残量をチェックし、録画残量が無くなったことによる録画停止が起こるのを防止する。
【０１０７】
ステップＳ５０２で録画部２７４であるＨＤＤの録画可能な録画残量Ｒを演算する。録画残量Ｒが少ない場合は、画質が犠牲となるが、圧縮制御部２４０での圧縮比を上げて録画容量の消費をできるだけ押え、録画残量の不足による録画停止を避けることが望ましい。ステップＳ５０４からステップＳ５１４は、録画可能な録画残量Ｒの状態に従ってランク分けし、録画残量Ｒが少なくなるにつれて圧縮制御部２４０での圧縮比を高くするステップである。上記録画残量Ｒの不足に基づくランク分けの基準量をＡ１〜Ａ３で示している。なお個々に示すランク分けは一例であり、何段階にランク分けするかは、適宜設定可能である。圧縮比Ｃ１から圧縮比Ｃ３と録画残量Ｒが少なくなるにつれて圧縮比が段階的に高くなり、圧縮比Ｃ３が一番高い圧縮比の値を示す。圧縮比が高いほど録画容量の使用が少なくなるが、上述のごとく画質が低下する。
【０１０８】
ステップＳ５０４で、録画残量Ｒが基準量Ａ１以下になったかどうかを判断し、基準量Ａ１より多い場合は、十分に録画残量が残されていると判断し、圧縮比を変更しない。ステップＳ５０４で、録画残量Ｒが基準量Ａ１以下となった場合は、次の基準量Ａ２以下かどうかをステップＳ５０６で判断する。録画残量Ｒが基準量Ａ２より大きい場合は、録画残量Ｒが基準量Ａ１以下で基準量Ａ２より大きいとしてステップＳ５０８に進み、適正な圧縮比として圧縮比候補Ｃ１が定まる。
【０１０９】
またステップＳ５０６で、録画残量Ｒが基準量Ａ２以下と判断されると、次に録画残量Ｒが基準量Ａ３より大きいかが判断される。録画残量Ｒが基準量Ａ２以下で基準量Ａ３より大きい場合は、適正な圧縮比として圧縮比候補Ｃ２が定まる。また録画残量Ｒが基準量Ａ３以下の場合は、適正な圧縮比として圧縮比候補Ｃ３が定まる。
【０１１０】
上記各定まった圧縮比候補Ｃ１、あるいはＣ２、あるいはＣ３をそのまま圧縮比として圧縮制御部２４０にセットしても良いが、この実施例では、現在動作している圧縮比と上記選択された圧縮比候補とを比較する。もし現在動作している圧縮比の方が上記選択された圧縮比候補より高い圧縮比である場合には、圧縮比候補を採用すると圧縮比が下がることとなるので、現在の圧縮比を維持する。即ちステップＳ５１６で、圧縮比候補が現在動作中の圧縮比より高い場合に、ステップＳ５１８に進み、圧縮制御部２４０の圧縮比が変更される。そしてステップＳ５２０で実行が終了する。図６に示すプログラムは一定時間毎に実行される。このように録画残量Ｒが少なくなると圧縮制御部２４０の圧縮比が自動的に高くなり、録画残量の不足による録画停止が生じるのを抑制できる。
【０１１１】
テレビジョン放送受信装置１００に外付け録画装置２００を接続することにより、図６に示す機能を追加することが可能となる。
【０１１２】
「６.２  外付け録画装置２００の制御回路２４４による処理」
図６を用いて説明した、録画部２７４の録画残量Ｒの値による圧縮比の演算および設定処理は、比較的簡単な処理で大きな効果を奏することができる。上述した処理の代案として、図６の処理プログラムを図３の制御回路２４４や図５の制御回路２４４にダウンロードし、外付け録画装置２００自身の動作として、図３の制御回路２４４や図５の制御回路２４４で実行するようにしても良い。このような構成により、上述した図６の動作は外付け録画装置２００の内部回路である制御回路２４４で実行される。
【０１１３】
このように制御回路２４４で図６に示す動作を行っても、上述した効果を奏することができる。
【０１１４】
「７.  録画予約時の録画容量不足に対応する圧縮比の変更」
図７は、録画予約時に、予約対象番組を録画できるだけの録画残量が無い場合に、予め圧縮制御部２４０の圧縮比を高く設定し、録画可能とするプログラム５５０を示す。プログラム５５０は、図２の外付け録画装置用プログラム１４６内に設けられており、録画予約が行われる場合、録画予約の動作に基づいてプログラム５５０が実行される。上記録画予約のためのプログラムはＴＶ受像機用プログラム１４５に内蔵されており、外付け録画装置２００がテレビジョン放送受信装置１００に接続されると、録画予約プログラムの動作に連動して外付け録画装置用プログラム１４６に設けられているプログラム５５０が実行される。
【０１１５】
録画予約プログラムが実行され、予約番組の入力が行われると、ステップＳ５５２で、予約対象番組の時間に基づいて、あるいはさらに予約対象番組の時間と入力された圧縮制御部２４０の圧縮比とに基づいて、録画に必要な録画容量Ｍが演算される。必要な録画容量Ｍに対して録画部２７４の残量に余裕かあるかどうかが判断される。若干の余裕を持たせることが望ましく、演算値である必要な録画容量Ｍに余裕値を加えた容量と現在の録画残量が比較される(ステップＳ５５４)。録画部２７４の録画残量が多い場合は、ステップＳ５５４からステップＳ５６０に進み、予め定められている、あるいは入力された圧縮比を圧縮制御部２４０にセットする。
【０１１６】
録画部２７４の録画残量が不足する場合、ステップＳ５５４で不足することが判断され、ステップＳ５５６に進む。ステップＳ５５６で、録画部２７４の録画残量と予約対象番組の時間から録画可能なできるだけ低い圧縮比が演算され、演算された圧縮比がお勧め圧縮比として表示される。またこのステップでは録画部２７４の録画残量が少ないことも表示される。
【０１１７】
ステップＳ５５８で、圧縮比が入力されたかどうかが判断され、圧縮比が入力されるとステップＳ５６６へ進む。入力された圧縮比がお勧め圧縮比と同じ又はそれより大きい場合は、録画可能であり、ステップＳ５６８へ進み、入力された圧縮比を圧縮制御部２４０にセットする。ステップＳ５６８とステップＳ５６０とは略同じ動作を行う。これらの違いは、ステップＳ５６０は、圧縮比を毎回入力するのではなく、予め定められている圧縮比を使用する場合にも対応していることである。もちろん圧縮比が入力された場合には入力された圧縮比を圧縮制御部２４０へセットする。一方ステップＳ５６８は、入力された圧縮比を圧縮制御部２４０へセットする。ステップＳ５６８の次にステップＳ５７０へ進み、このプログラムの実行を終了する。
【０１１８】
ステップＳ５６６でお勧めより低い圧縮比が入力された場合、録画部２７４の録画残量で対応できるかどうかを再度判断するために、ステップＳ５５２へ実行が戻り、再び上述の動作が繰り返される。
【０１１９】
またステップＳ５５８で圧縮比の入力が行われ無い場合は、ステップＳ５６２へ進み、未入力状態が規定時間以上続いたかを判断する。もし未入力状態が規定時間以上続いている場合には、ステップＳ５６４へ進み、予約エラーの表示を行い、ステップＳ５７０へ進みプログラム５５０の実行を終了する。また未入力状態が規定時間に達しない場合は、再びステップＳ５５８へ進み、入力の有無を再度判断する。
【０１２０】
図７に示すプログラム５５０を実行することで、録画部２７４の録画残量が少なくなった状態で、圧縮制御部２４０の圧縮比を適正に選択することで、信頼性の高い録画が可能となる。また録画部２７４の残量が不足するとの理由で録画できない状態が生じるのを極力少なくすることができ、利便性が向上する。
【０１２１】
「８.  テレビジョン放送受信装置内蔵ＨＤＤから外付け録画装置への圧縮録画」
図８に示すプログラムＳ４００は、図４に示すその他処理Ｓ４００を具体化した一例である。テレビジョン放送受信装置１００に収納されたＨＤＤ１５０に録画されているコンテンツを、外付け録画装置２００で圧縮して録画部２７４に録画するプロクラムを示す。図４と同じ符号のステップは同じ作用効果をなすので、説明を省略する。
【０１２２】
ステップＳ２４４で、その他の処理Ｓ４００として上記内容の処理が選択されると、ステップＳ４１２で、テレビジョン放送受信装置１００の収納ＨＤＤ１５０に録画されている中のどのコンテンツを移動するのかを選択する。ステップＳ４１２で、先ず収納ＨＤＤ１５０に録画されているコンテンツのリストがテレビジョン放送受信装置１００の表示部１３４に表示される。続いてどのコンテンツを外付け録画装置２００の録画部２７４に移動するかの指定がリモコン１７０を使用して行われる。次にステップＳ４１４で、選択されたコンテンツは圧縮比に対してどれくらいの録画容量を使用するかが演算されて、表示部１３４に表示される。例えば高画質を維持するために圧縮比を低い値４とすると、圧縮比４により圧縮された場合の使用録画容量として容量Ａが表示される。
【０１２３】
ステップＳ４１６で利用者により圧縮比が入力されると、入力された圧縮比でコンテンツが録画部２７４に録画可能か、録画残量が十分あるかが判断される。この判断には上述した図７に示すプログラム５５０が使用され、実行される。録画部２７４に十分に録画できる場合には、入力された圧縮比が圧縮制御部２４０にステップＳ４１８でセットされる。その後外付け録画装置２００での録画動作に移る。録画部２７４の残量が不足する場合は、図７で説明したように、圧縮比が高い値となる。
【０１２４】
次にステップＳ４２２でＨＤＤ１５０に録画されているコンテンツが読み出され、外付け録画装置２００に送られる。外付け録画装置２００のハブコントローラ２２２から送られてきたコンテンツが圧縮制御部２４０へ送られる。次のステップＳ４５０で、先に図４で説明したステップＳ２５２からステップＳ２７４の動作を繰り返し、ステップＳ４１８で圧縮制御部２４０にセットされた圧縮比に基づいて圧縮されたコンテンツが録画部２７４に録画される。以下ステップＳ４２２とステップＳ４５０を繰り返し実行し、ＨＤＤ１５０に録画されている指定されたコンテンツが指定された圧縮比で圧縮されて、録画部２７４に録画される。
【０１２５】
上記コンテンツの録画部２７４への移動が終了するとステップＳ４５４で、ＨＤＤ１５０に残されている元のコンテンツを削除するかどうかの判断を利用者に求める。元のコンテンツの削除を希望して削除要求が入力された場合は、次のステップＳ４５６でＨＤＤ１５０から元のコンテンツを削除する。そしてステップＳ２７８でプログラムの実行を終了する。削除しないとの入力がなされた場合は削除せずにステップＳ２７８でプログラムの実行を終了する。
【０１２６】
外付け録画装置２００とのペアを登録したテレビジョン放送受信装置１００に圧縮機能が無くても、外付け録画装置２００を利用してテレビジョン放送受信装置１００に録画されたコンテンツを希望の圧縮比で圧縮できる。上記実施例は、圧縮されたコンテンツをテレビジョン放送受信装置１００から再び暗号化して外付け録画装置２００へ送り、外付け録画装置２００の録画部２７４に録画する実施例である。圧縮されたコンテンツを外付け録画装置２００から受取った状態で、外付け録画装置２００へ送信するのではなく、テレビジョン放送受信装置１００に収納するＨＤＤ１５０に録画することが可能である。このように制御することで、ＨＤＤ１５０に録画されているコンテンツの録画使用量を減少させることができる。また一旦外付け録画装置２００の録画部２７４に録画した後、再びＨＤＤ１５０に移動させることも可能である。これらの方法により、コンテンツが必要とする録画使用量を減少させることが可能となる。
【０１２７】
「９.  テレビジョン放送受信装置に格納されているプログラムの変更」
図９に示す動作フロー６００は、テレビジョン放送受信装置１００の制御部１４０に設けられている不揮発性メモリ１４４に記憶されているＴＶ受像機用プログラム１４５あるいは外付け録画装置用プログラム１４６、ファームウエア１４７、認証およびペア確認プログラム１４８に関して、さらに改良するなどの理由で新しいプログラムが作成された場合の、既存のプログラムから新しいプログラムへの置き換え動作を示す動作フローである。テレビジョン放送受信装置１００がアンテナ１１２やアンテナ１１６から新しいプログラムの情報を含む放送信号の受信可能状態になった場合、あるいは図示しないインターネットにテレビジョン放送受信装置１００が接続された場合、あるいはＵＳＢ端子１６０を介して新しいプログラムを供給できる回路や機器がテレビジョン放送受信装置１００に接続された場合、ステップＳ６０２の動作状態となり、次のステップＳ６１２へ移る。
【０１２８】
ステップＳ６１２でテレビジョン放送受信装置１００の上述したような放送システムまたはインターネットなどを含む外部システムあるいは外部回路または外部機器から、上述のプログラムの追加や変更を含む書き換えの示唆指令が送られてきていることを確認する。上述したプログラムの書き換えの示唆指令が送られてきている場合には、テレビジョン放送受信装置１００や外付け録画装置２００が、上記プログラムを書き換えることができる状態かどうかをステップＳ６１４で調べる。例えば外付け録画装置２００を上記プログラムに基づいて動作させている場合には、上記プログラムを書き換えることが困難である。一方外付け録画装置２００が動作していない状態では、上記プログラムの書き換えが可能である。
【０１２９】
ステップＳ６１４で上記プログラムの書き換えが可能と判断すると、ステップＳ６１６で、テレビジョン放送受信装置１００や外付け録画装置２００の利用者に上記プログラムの書き換えを進める表示を行い、ステップＳ６１８で上記プログラムの書き換えの同意を確認し、ステップＳ６２０で上記プログラムの内の対象プログラムの書き換えを実行する。ステップＳ６２２で上記対象プログラムの書き換えが完了すると、ステップＳ６３０で対象プログラムの書き換え動作フロー６００の動作を終了する。またステップＳ６１２やステップＳ６１４、ステップＳ６１８では、条件が満たされないといずれもステップＳ６３０に動作が移り、プログラムの書き換え動作フロー６００の動作を終了する。
【０１３０】
以上のように図９に示す動作フローにより、テレビジョン放送受信装置１００の制御部１４０に設けられている不揮発性メモリ１４４に記憶されているＴＶ受像機用プログラム１４５あるいは外付け録画装置用プログラム１４６、ファームウエア１４７、認証およびペア確認プログラム１４８を改良されたプログラムに書き換えることにより、製造後に明らかになったニーズに対応可能となり、利用者に対する外付け録画装置２００の利便性あるいは信頼性、などが向上する。
【符号の説明】
【０１３１】
１００・・・テレビジョン放送受信装置、１１２・・・アンテナ、１１６・・・アンテナ、１２２・・・選局部、１２４・・・受信信号処理部、１２６・・・ストリーム制御部、１３４・・・表示部、１４０・・・制御部、１４５・・・ＴＶ受像機用プログラム、１４６・・・外付け録画装置用プログラム、１４７・・・ファームウエア、１４８・・・認証およびペア確認プログラム、１５０・・・ＨＤＤ、１７０・・・リモートコントローラ、２００・・・外付け録画装置、２０４・・・電源回路、２２２・・・ハブコントローラ、２４０・・・圧縮制御部、２４４・・・制御回路、２５４・・・暗号解読部、２５６・・・分離部、２５８・・・圧縮部、２６２・・・多重化部、２６４・・・暗号化部、２７２・・・変換回路、２７４・・・録画部。
【図１】
0005834343.tif 000002
【図２】
0005834343.tif 000003
【図３】
0005834343.tif 000004
【図４】
0005834343.tif 000005
【図５】
0005834343.tif 000006
【図６】
0005834343.tif 000007
【図７】
0005834343.tif 000008
【図８】
0005834343.tif 000009
【図９】
0005834343.tif 000010